(57)【要約】【課題】表示物の交換を簡単かつ迅速に行うことができると共に、厚さ寸法がそれぞれ異なる表示物でも保持することができる額縁構造を提供する。【解決手段】表示窓部１５ａが形成され、表示窓部１５ａの周囲を囲むように枠部１５ｂが形成され、表示窓部１５ａの水平方向の左右両側の枠部１５ｂの背面側に、第１本体係合部１６と第２本体係合部１７が上下方向に並んで設けられた本体部材１４と、外形が本体部材１４の表示窓部１５ａより大きく形成された裏板２４を備え、裏板２４の上端部の水平方向の左右両側に背面係合部２７が設けられた背面部材２２と、を備え、背面部材２２の背面係合部２７は、本体部材１４の第１本体係合部１６と第２本体係合部１７の一方に、本体部材１４と背面部材２２の裏板２４の間の間隔を変更することができるように係合した。【選択図】図１
2020146171.tif 000002
【特許請求の範囲】
【請求項１】
表示窓部が形成され、前記表示窓部の周囲を囲むように枠部が形成され、前記表示窓部の水平方向の左右両側の前記枠部の背面側に、第１本体係合部と第２本体係合部が上下方向に並んで設けられた本体部材と、
外形が前記本体部材の前記表示窓部より大きく形成された裏板を備え、前記裏板の上端部の水平方向の左右両側に背面係合部が設けられた背面部材と、を備え、
前記背面部材の前記背面係合部は、前記本体部材の前記第１本体係合部と前記第２本体係合部の一方に、前記本体部材と前記背面部材の前記裏板の間の間隔を変更することができるように係合した
ことを特徴とする額縁構造。
【請求項２】
前記第１本体係合部と前記第２本体係合部は、前記枠部の背面側に、前記本体部材の上下方向の中央を挟んで略上下対称に設けられると共に、
前記第１本体係合部は、前記表示窓部の上辺部よりも下方に配置され、
前記第２本体係合部は、前記表示窓部の下辺部よりも上方に配置される
ことを特徴とする請求項１に記載の額縁構造。
【請求項３】
前記表示窓部の下側の前記枠部の背面側に第１支持部が設けられた
ことを特徴とする請求項１又は２に記載の額縁構造。
【請求項４】
前記表示窓部の上下両側の前記枠部の背面側に、第３本体係合部と第４本体係合部が水平方向に並んで設けられ、
前記背面部材の前記背面係合部は、前記本体部材の前記第１本体係合部と前記第２本体係合部の一方、又は、時計回り方向に９０度回転させた前記本体部材の前記第３本体係合部と前記第４本体係合部の一方に、前記本体部材と前記背面部材の前記裏板の間の間隔を変更することができるように係合した
ことを特徴とする請求項１から３のいずれかに記載の額縁構造。
【請求項５】
前記第３本体係合部と前記第４本体係合部は、前記枠部の背面側に、前記本体部材の水平方向の中央を挟んで略左右対称に設けられると共に、
前記第３本体係合部は、前記表示窓部の左辺部よりも右方に配置され、
前記第４本体係合部は、前記表示窓部の右辺部よりも左方に配置される
ことを特徴とする請求項４に記載の額縁構造。
【請求項６】
前記表示窓部の水平方向の左右両側の一方の前記枠部の背面側に第２支持部が設けられた
ことを特徴とする請求項４又は５に記載の額縁構造。
【請求項７】
前記背面部材に、前記背面部材を鉛直面に吊り下げて設置するための吊下部が設けられた
ことを特徴とする請求項１から６のいずれかに記載の額縁構造。
【請求項８】
前記背面部材の前記裏板に、前記背面部材を水平面に自立させるための脚部が設けられた
ことを特徴とする請求項１から６のいずれかに記載の額縁構造。
【発明の詳細な説明】
【技術分野】
【０００１】
本発明は、厚さの異なるさまざまな表示物を保持して展示するための額縁構造に関するものである。
【背景技術】
【０００２】
従来の額縁構造としては、額縁本体の背面から裏板を外し、表示物を額縁本体の背面側からその内部に配置した後に、裏板を額縁本体の背面の元の位置に嵌め込むことにより、表示物を額縁本体と裏板とで挟み込むように保持するものが知られていた（例えば、特許文献１）。
【０００３】
図１３及び図１４は、従来の額縁構造２について説明するために参照する図である。
【０００４】
従来の額縁構造２は、図１３（ａ）及び（ｂ）に示すように、本体部材４と、本体部材４の背面側に設けられた裏板６を備えていた。
【０００５】
額縁構造２の本体部材４は、図１３（ａ）に示すように、外形が略四角形の板状に形成され、その背面側には、図１４に示すように、外形が本体部材４より小さい略四角形の配置部４ａが、本体部材４の背面から前面側へ向けて本体部材４の厚さ方向に凹むように形成され、配置部４ａの外形を囲むように縁部４ｂが形成されていた。
【０００６】
そして、本体部材４の配置部４ａには、その略中央部に、外形が配置部４ａより小さい略四角形の表示窓部４ｃが、配置部４ａを厚さ方向に貫通する開口部として形成され、表示窓部４ｃの周囲を囲むように枠部４ｄが形成されていた。
【０００７】
そして、本体部材４の縁部４ｂの背面側には、図１３（ｂ）に示すように、外形が細長い略楕円形の板状に形成された複数（８つ）の係止片８が設けられていた。
【０００８】
これらの係止片８は、その長さ方向の一方の部分（取付部）が木ネジ等によって縁部４ｂに取り付けられており、この取付部を軸として、係止片８の長さ方向の他方の部分（押え部）を回動させることができるようになっていた。
【０００９】
そして、本体部材４の配置部４ａの左右両側に、上下方向に沿って形成された左辺側と右辺側の縁部４ｂの背面側には、図１３（ｂ）に示すように、所定の長さを有するかけ紐９の両端部がそれぞれ取り付けられていた。
【００１０】
額縁構造２の裏板６は、図１３（ｂ）に示すように、外形が本体部材４の配置部４ａよりわずかに小さい略四角形の板状に形成されており、図１４に示すように、本体部材４の背面から凹むように形成された配置部４ａに、裏板６を緩く嵌合させるように配置することができるようになっていた。
【００１１】
裏板６の厚さ寸法は、本体部材４の背面から配置部４ａまでの深さ寸法より小さく形成されており、裏板６を配置部４ａに嵌合させたときに、裏板６の背面が本体部材４の背面から突出しないようになっていた。
【００１２】
そして、このような裏板６を本体部材４の配置部４ａに嵌合させた状態で、係止片８を、その押え部が配置部４ａの内側に位置するように回動させることにより（図１３（ｂ）参照）、裏板６が配置部４ａから外れないように係止されるようになっていた。
【００１３】
そして、係止片８を、その押え部が配置部４ａの外側に位置するように回動させることにより（図１４参照）、配置部４ａに嵌合した状態の裏板６を、本体部材４の背面から取り外すことができるようになっていた。
【００１４】
このような従来の額縁構造２を用いて表示物１を保持する場合は、まず、本体部材４の縁部４ｂに設けられた全ての係止片８を、その押え部が本体部材４の配置部４ａの外側に位置するように回動させて、本体部材４の背面から裏板６を取り外す。
【００１５】
そして、表示物１を本体部材４の背面側から配置部４ａに配置し、裏板６を本体部材４の配置部４ａに嵌合させるように配置して、表示物１を本体部材４の配置部４ａと裏板６とで挟み込むように保持する（図１４参照）。
【００１６】
そして、全ての係止片８をその押え部が本体部材４の配置部４ａの内側に位置するように回動させ、裏板６が配置部４ａから外れないように係止させる。
【００１７】
そして、本体部材４のかけ紐９を、壁面等の鉛直面に設けられたＬ字金具のような突起具（図示せず）に掛けたり、かけ紐９を使用せずに、額縁を床面等の水平面に設置して壁面等に立て掛けることにより、表示物１の表示面を本体部材４の前面側から目視できるように展示するようになっていた。
【先行技術文献】
【特許文献】
【００１８】
【特許文献１】実用新案登録第３０７１５５５号公報
【発明の概要】
【発明が解決しようとする課題】
【００１９】
しかしながら、上述したような従来の額縁構造２では、額縁内の表示物を交換する作業に手間がかかるため、表示物を気軽に交換することができないという問題があった。
【００２０】
すなわち、従来の額縁構造２においては、額縁が壁面に掛けられている場合は、一旦、額縁を壁面から取り外してから、本体部材４の背面から裏板６を外して、表示物１を交換しなければならず、その交換作業は非常に煩雑なものとなっていた。
【００２１】
また、従来の額縁構造２においては、額縁が保持可能な表示物１の厚さ寸法が決まっており、それ以外の厚さ寸法の表示物１は、それが薄くてもまた反対に厚くても、正常に保持できないという問題もあった。
【００２２】
例えば、一枚の紙のような非常に薄い表示物１を額縁の内部に配置した場合には、表示物１を挟み込んだ裏板６と本体部材４の配置部４ａの間に隙間が生じてしまい、表示物１の位置がずれたり、表示物１が折れ曲がってシワになったりするおそれがあった。
【００２３】
また反対に、複数頁の小冊子のような分厚い表示物１を額縁の内部に配置した場合には、表示物１を挟み込んだ裏板６の背面が本体部材４の背面から大きく突出してしまい、係止片８を回動させて裏板６を係止することができず、無理に押え付けようとして係止片８を動かすと、係止片８が破損してしまうおそれがあった。
【００２４】
このように、従来の額縁構造２は、絵や写真のようなそれほど厚さが変わらない表示物を保持して、比較的長い期間に亘って展示するような使用の仕方を前提としたものであって、厚さの異なる様々な表示物を保持したり、短い期間で表示物を頻繁に交換して使用するものではなかった。
【００２５】
一方、近年の出版広告業界等の発展や印刷技術の発達に伴い、多様な業界の様々な場面で、デザイン性が考慮された非常に芸術性の高い作品（例えば、商品のカタログやパンフレット、雑誌の表紙等）が数多く作成されるようになったが、そのような作品を手にした者が、それらを額縁に飾って展示したいと考えた時に、従来の額縁構造２では、その要求を十分に満たすことができなかった。
【００２６】
また、額縁を一個人が使用する場合においても、手描きのイラストやデジカメで撮影してプリンタで印刷した写真等を、もっと気軽に額縁に飾って展示したいという要求は以前からあり、そのような観点からも、従来の額縁構造２では、その要求を十分に満たすことができなかった。
【００２７】
そこで本発明は、上記問題点に鑑みて、表示物の交換を簡単かつ迅速に行うことができると共に、厚さ寸法がそれぞれ異なる表示物でも保持することができる額縁構造を提供することを課題とするものである。
【００２８】
そしてこれにより、額縁の使用者側に、従来の額縁構造の概念を超えて、多様な作品を展示するあらたな機会を提供すると共に、作品の提供者側にも、展示されることを前提とすることで、様々な媒体で創意を発揮する機会を増やして作品制作のモチベーションを与えることにより、双方の需要を喚起するものである。
【課題を解決するための手段】
【００２９】
上記課題を解決するために、本発明による額縁構造は、
表示窓部が形成され、前記表示窓部の周囲を囲むように枠部が形成され、前記表示窓部の水平方向の左右両側の前記枠部の背面側に、第１本体係合部と第２本体係合部が上下方向に並んで設けられた本体部材と、
外形が前記本体部材の前記表示窓部より大きく形成された裏板を備え、前記裏板の上端部の水平方向の左右両側に背面係合部が設けられた背面部材と、を備え、
前記背面部材の前記背面係合部は、前記本体部材の前記第１本体係合部と前記第２本体係合部の一方に、前記本体部材と前記背面部材の前記裏板の間の間隔を変更することができるように係合した
ことを特徴とするものである。
【００３０】
また、本発明による額縁構造は、
前記第１本体係合部と前記第２本体係合部は、前記枠部の背面側に、前記本体部材の上下方向の中央を挟んで略上下対称に設けられると共に、
前記第１本体係合部は、前記表示窓部の上辺部よりも下方に配置され、
前記第２本体係合部は、前記表示窓部の下辺部よりも上方に配置される
ことを特徴とするものである。
【００３１】
また、本発明による額縁構造は、
前記表示窓部の下側の前記枠部の背面側に第１支持部が設けられた
ことを特徴とするものである。
【００３２】
また、本発明による額縁構造は、
前記表示窓部の上下両側の前記枠部の背面側に、第３本体係合部と第４本体係合部が水平方向に並んで設けられ、
前記背面部材の前記背面係合部は、前記本体部材の前記第１本体係合部と前記第２本体係合部の一方、又は、時計回り方向に９０度回転させた前記本体部材の前記第３本体係合部と前記第４本体係合部の一方に、前記本体部材と前記背面部材の前記裏板の間の間隔を変更することができるように係合した
ことを特徴とするものである。
【００３３】
また、本発明による額縁構造は、
前記第３本体係合部と前記第４本体係合部は、前記枠部の背面側に、前記本体部材の水平方向の中央を挟んで略左右対称に設けられると共に、
前記第３本体係合部は、前記表示窓部の左辺部よりも右方に配置され、
前記第４本体係合部は、前記表示窓部の右辺部よりも左方に配置される
ことを特徴とするものである。
【００３４】
また、本発明による額縁構造は、
前記表示窓部の水平方向の左右両側の一方の前記枠部の背面側に第２支持部が設けられた
ことを特徴とするものである。
【００３５】
また、本発明による額縁構造は、
前記背面部材に、前記背面部材を鉛直面に吊り下げて設置するための吊下部が設けられた
ことを特徴とするものである。
【００３６】
また、本発明による額縁構造は、
前記背面部材の前記裏板に、前記背面部材を水平面に自立させるための脚部が設けられた
ことを特徴とするものである。
【発明の効果】
【００３７】
このような本発明の額縁構造によれば、
表示窓部が形成され、前記表示窓部の周囲を囲むように枠部が形成され、前記表示窓部の水平方向の左右両側の前記枠部の背面側に、第１本体係合部と第２本体係合部が上下方向に並んで設けられた本体部材と、
外形が前記本体部材の前記表示窓部より大きく形成された裏板を備え、前記裏板の上端部の水平方向の左右両側に背面係合部が設けられた背面部材と、を備え、
前記背面部材の前記背面係合部は、前記本体部材の前記第１本体係合部と前記第２本体係合部の一方に、前記本体部材と前記背面部材の前記裏板の間の間隔を変更することができるように係合したことにより、
表示物の交換を簡単かつ迅速に行うことができると共に、厚さ寸法がそれぞれ異なる表示物でも保持することができる。
【図面の簡単な説明】
【００３８】
【図１】本発明の第１の実施の形態に係る額縁構造１２を示す、背面側からの斜視図である。
【図２】図１に示す額縁構造１２の本体部材１４を示す図であって、図２（ａ）はその正面図であり、図２（ｂ）はその背面図である。
【図３】図２（ｂ）に示す本体部材１４の一部を拡大する断面図であって、図３（ａ）は図２（ｂ）におけるＡ−Ａ線矢視拡大断面図であり、図３（ｂ）は図２（ｂ）におけるＢ−Ｂ線矢視拡大断面図である。
【図４】図１に示す額縁構造１２の背面部材２２を示す図であって、図４（ａ）はその正面図であり、図４（ｂ）はその背面図である。
【図５】図４（ｂ）に示す背面部材２２の一部を拡大して示す図であって、図５（ａ）は背面部材２２の軸受部２４ｂの周辺を拡大した拡大背面図であり、図５（ｂ）は図５（ａ）におけるＣ−Ｃ線矢視拡大断面図である。
【図６】壁面３０に吊り下げられた額縁構造１２に、表示物１を保持させる方法、及び保持した表示物１を交換する方法を説明するための概略側面図である。
【図７】額縁構造１２の異なる使用形態を示す、背面側からの斜視図である。
【図８】床面３１に設置されて壁面３０に立て掛けられた額縁構造１２に、表示物１を保持させる方法、及び保持した表示物１を交換する方法を説明するための概略側面図である。
【図９】本発明の第２の実施の形態に係る額縁構造３２を示す、背面側からの斜視図である。
【図１０】図９に示す額縁構造３２の構成部材を示す図であって、図１０（ａ）は額縁構造３２の本体部材３４の背面図であり、図１０（ｂ）は額縁構造３２の背面部材４２の正面図である。
【図１１】額縁構造３２を用いて表示物１を縦向きに保持する方法を説明するための図であり、額縁構造３２の背面側からの斜視図である。
【図１２】本発明の第３の実施の形態に係る額縁構造５２を示す、背面側からの斜視図である。
【図１３】従来の額縁構造２を示す図であって、図１３（ａ）は額縁構造２の前面側、図１３（ｂ）は額縁構造２の背面側からの斜視図である。
【図１４】従来の額縁構造２を用いて表示物１を保持する方法を説明するための概略斜視図である。
【発明を実施するための形態】
【００３９】
以下、本発明に係る額縁構造を実施するための形態について、図面に基づいて具体的に説明する。
【００４０】
図１ないし図８は、本発明の第１の実施の形態に係る額縁構造１２について説明するために参照する図である。なお、図１３及び図１４に示した従来の額縁構造２と同様の部分には、一部を除き同じ符号を付して説明するものとする。
【００４１】
本実施の形態に係る額縁構造１２は、図１に示すように、本体部材１４（図２参照）と、本体部材１４の背面側に設けられる背面部材２２（図４参照）を備えている。
【００４２】
額縁構造１２の本体部材１４は、図２に示すように、本体板部１５と、本体板部１５の背面側に設けられた、支持部１８（第１支持部）と２つの係合部材２０を備えている。
【００４３】
本体部材１４の本体板部１５は、図２（ａ）に示すように、図の紙面に垂直方向に所定の厚さを有し、外形が略四角形の板状に形成され、その略中央部には、外形が本体板部１５より小さい略四角形の表示窓部１５ａが形成され、表示窓部１５ａの周囲を囲むように枠部１５ｂが形成されている。
【００４４】
本体板部１５の表示窓部１５ａは、本体部材１４の背面側に配置された表示物１の表示面を、本体部材１４の前面側から視認することができるように、本体板部１５を厚さ方向（図２（ａ）の紙面に垂直方向）に貫通する開口部として形成されている。
【００４５】
そして、表示窓部１５ａの外形寸法は、額縁構造１２が保持する表示物１の外形寸法より小さく形成されており、例えば、この額縁構造１２が、Ａ４サイズ（２１０×２９７ｍｍ）の表示物１を保持することを想定している場合は、表示窓部１５ａの外形寸法は、Ａ４サイズより一回り小さな、縦（図２（ａ）中上下方向）１８５ｍｍ、横（同図中左右方向）２７５ｍｍ程度の長方形に形成されている。
【００４６】
そして、図２（ｂ）に示すように、本体板部１５の表示窓部１５ａの下側に水平方向（図中左右方向）に沿って形成された、本体板部１５の下辺側の枠部１５ｂの背面側には、水平方向に細長く伸びる支持部１８が、本体板部１５の下辺側の枠部１５ｂの水平方向の略中央、かつ図中上下方向の表示窓部１５ａ寄りの位置に設けられている。
【００４７】
支持部１８は、図３（ａ）に示すように、その長さ方向（図の紙面に垂直方向）に対して垂直な断面が略三角形に形成され、その上面には、水平かつ平坦な支持面１８ａが水平方向（図の紙面に垂直方向）に沿って形成されている。
【００４８】
これにより、表示物１が本体部材１４の背面側に配置された際に、表示物１の下端部が支持部１８の支持面１８ａに当接して支持されると共に、表示物１の下辺部が表示窓部１５ａの下辺部より下方に位置し、表示物１の上辺部が表示窓部１５ａの上辺部より上方に位置するようになっているため、本体部材１４の前面側から見たときに、表示物１の表示面が、表示窓部１５ａの形状に輪郭を縁取られて、表示窓部１５ａの内側一杯に表示されるようになっている（図６（ｃ）参照）。
【００４９】
そして、図２（ｂ）に示すように、本体板部１５の表示窓部１５ａの水平方向（図中左右方向）の左右両側に図中上下方向に沿って形成された、本体板部１５の左辺側と右辺側の枠部１５ｂの背面側には、係合部材２０がそれぞれ設けられており、これらの係合部材２０は、本体板部１５の左辺側と右辺側の枠部１５ｂの背面側の図中上下方向の略中央に、２つの係合部材２０が本体板部１５の水平方向の中央を挟んで略左右対称に配置されている。
【００５０】
係合部材２０は、細長い板状の部材の長さ方向の両端部を曲げることにより形成されており、その断面形状は、図３（ｂ）に示すように、図中上下方向に細長く伸びる取付部２０ａと、取付部２０ａの上端部から図中左側に曲げて逆Ｕ字状に形成された上側曲部２０ｂと、上側曲部２０ｂの取付部２０ａと反対側の端部から図中下方に伸びる上側先端部２０ｃと、取付部２０ａの下端部から図中左側に曲げてＵ字状に形成された下側曲部２０ｄと、下側曲部２０ｄの取付部２０ａと反対側の端部から図中上方に伸びる下側先端部２０ｅを備えて形成されている。
【００５１】
そして、取付部２０ａを本体板部１５の枠部１５ｂの背面に接触させ、この接触部分を接合することにより、本体板部１５の枠部１５ｂに固定されている。
【００５２】
すなわち、本体板部１５の左辺側と右辺側の枠部１５ｂの背面側には、図２（ｂ）及び図３（ｂ）に示すように、逆Ｕ字型のフック状の上側本体係合部１６（第１本体係合部）と、Ｕ字型のフック状の下側本体係合部１７（第２本体係合部）が、図中上下方向に並んで設けられている。
【００５３】
そして、図２（ｂ）に示すように、上側本体係合部１６と下側本体係合部１７は、本体板部１５の図中上下方向の中央を挟んで略上下対称に設けられると共に、上側本体係合部１６の図中上下方向の位置が、本体板部１５の表示窓部１５ａの上辺部よりも図中下方に配置され、下側本体係合部１７の図中上下方向の位置が、本体板部１５の表示窓部１５ａの下辺部よりも図中上方に配置されるように構成されている。
【００５４】
このような額縁構造１２の本体部材１４は、合成樹脂材料やアルミニウム合金等の金属材料により形成することができる。
【００５５】
例えば、合成樹脂材料により形成した本体板部１５の背面側に、合成樹脂材料や金属材料により形成された支持部１８や係合部材２０を、接着やネジ止め等より固定することにより、本体部材１４を形成することができる。
【００５６】
また、合成樹脂材料を用いて、本体板部１５、支持部１８、上側本体係合部１６及び下側本体係合部１７を一体成型したり、一枚の四角い金属板をプレス加工して、本体板部１５の表示窓部１５ａ、支持部１８、上側本体係合部１６及び下側本体係合部１７を形成することにより、本体部材１４を形成することもできる。
【００５７】
額縁構造１２の背面部材２２は、図４に示すように、裏板２４と、裏板２４の上端部に水平方向（図中左右方向）に沿って設けられた係合軸２６を備えている。
【００５８】
背面部材２２の裏板２４は、図４（ａ）に示すように、図の紙面に垂直方向に所定の厚さを有し、外形が略四角形の板状に形成され、その水平方向（図中左右方向）の略中央部には、裏板２４を厚さ方向に貫通する水平方向に細長い略長方形の２つの開口部２４ａが、裏板２４の図中上下方向の中央を挟んで略上下対称に形成されている。
【００５９】
また、裏板２４の上辺部には、裏板２４の上辺部の端面から上方に向けて略長方形状に突出する２つの軸受部２４ｂが、裏板２４の上辺部の水平方向の左右両端部に、裏板２４の水平方向の中央を挟んで略左右対称に設けられている。
【００６０】
これらの軸受部２４ｂの背面側には、図５（ｂ）に示すように、裏板２４の背面側（図中右側）に開放された断面Ｕ字状の軸受溝２４ｃが、図５（ａ）に示すように、水平方向（図中左右方向）に沿って、軸受部２４ｂの水平方向の一方の端部から他方の端部まで連続して形成されている。
【００６１】
そして、図５（ａ）に示すように、軸受溝２４ｃの水平方向（図中左右方向）の略中央部の図中上側には、図５（ｂ）に示すように、断面が略三角形の係止突起２４ｄが、図中下方に向けて突出するように設けられている。
【００６２】
背面部材２２の係合軸２６は、図４（ａ）に示すように、図中左右方向に細長く伸びる横架部２６ａと、横架部２６ａの長さ方向（図中左右方向）の両端部にそれぞれ設けられた背面係合部２７を備えて形成されている。
【００６３】
係合軸２６の横架部２６ａは、図５（ｂ）に示すように、その直径が裏板２４の軸受部２４ｂに形成された軸受溝２４ｃの幅方向（図中上下方向）の寸法よりわずかに小さく、図４（ａ）に示すように、その長さ寸法が裏板２４の水平方向（図中左右方向）の幅寸法と略同一の略丸棒状に形成されている。
【００６４】
横架部２６ａには、図４（ａ）に示すように、その水平方向（図中左右方向）の略中央を挟んでその左右両側に、横架部２６ａより直径が大きい拡径部２６ｂがそれぞれ設けられ、これらの拡径部２６ｂに挟まれた横架部２６ａの水平方向の略中央部に吊下部２６ｃが形成されている。
【００６５】
これにより、横架部２６ａの吊下部２６ｃを、壁面３０に設けられたＬ字金具のような突起具３０ａのフック部に掛けて、背面部材２２を壁面３０等の鉛直面に設置することができ、突起具３０ａのフック部が、吊下部２６ｃの左右両側の拡径部２６ｂに係合するため、背面部材２２の係合軸２６が突起具３０ａのフック部の上で滑って、背面部材２２の位置がずれないようになっている（図６（ａ）参照）。
【００６６】
係合軸２６の背面係合部２７は、図４（ａ）に示すように、横架部２６ａの長さ方向（図中左右方向）の両端部に、長さ方向の中央を挟んで略左右対称に設けられている。
【００６７】
それぞれの背面係合部２７は、図５（ａ）に示すように、横架部２６ａの図中左側の端部から図中左下方に向けて斜めに伸びる斜行部２７ａと、斜行部２７ａの下端部から図中下方に伸びる連結部２７ｂと、連結部２７ｂの下端部から水平方向の内側（図中右側）に向けて横架軸部２６ａの軸線と略平行に伸びる水平軸部２７ｃと、水平軸部２７ｃの連結部２７ｂと反対側の端部から図中上方に伸びる先端部２７ｄを備えて形成されている。
【００６８】
また、背面係合部２７の水平軸部２７ｃの長さ方向（図５（ａ）中左右方向）の寸法は、本体部材１４の背面側に設けられた係合部材２０の幅方向（図２（ｂ）中左右方向）の寸法より大きく形成され、係合軸２６に設けられた２つの背面係合部２７の水平軸部２７ｃのそれぞれの長さ方向の中心の間の間隔は、本体部材１４の背面側に設けられた２つの係合部材２０のそれぞれの幅方向の中心の間の間隔と略同一に形成されている。
【００６９】
そして、図４（ｂ）及び図５（ｂ）に示すように、このような係合軸２６の横架部２６ａを、裏板２４の軸受部２４ｂに形成された軸受溝２４ｃの内部に緩く嵌合するように配置して、横架部２６ａが裏板２４の背面側に外れないように係止突起２４ｄが係止することにより、係合軸２６が、その横架部２６ａの軸線回りに回動することができるように、裏板２４の軸受部２４ａに設けられている。
【００７０】
すなわち、背面部材２２には、図５（ａ）に示すように、係合軸２６の横架部２６ａの軸線と略平行に伸び、横架部２６ａより図中下方に長さＬだけずれて位置する水平軸部２７ｃが、横架部２６ａの軸線回りに回動するような、クランク形状の背面係合部２７が、図４（ｂ）に示すように、裏板２４の上端部の水平方向（図中左右方向）の左右両側に設けられている。
【００７１】
このような額縁構造１２の背面部材２２は、合成樹脂材料や金属材料により形成することができ、例えば、合成樹脂材料により形成された裏板２４に、金属材料の丸棒状の部材を曲げて形成された係合軸２６を取り付けることにより形成することができる。
【００７２】
このような本体部材１４と背面部材２２を備えた、本実施の形態に係る額縁構造１２においては、図１に示すように、背面部材２２の係合軸２６に設けられた２つの背面係合部２７のそれぞれの水平軸部２７ｃを、本体部材１４に設けられた２つの係合部材２０の上側本体係合部１６のフック部にそれぞれ係合させることにより、本体部材１４を背面部材２２の係合軸２６に吊り下げるように取り付けることができる。
【００７３】
このとき、本体部材１４の支持部１８は、背面部材２２の裏板２４に形成された図４（ａ）中下側の開口部２４ａの内側に位置するため、支持部１８が裏板２４に接触しないようになっている。
【００７４】
また、支持部１８の高さ方向（図３（ａ）中左右方向）の寸法は、裏板２４の厚さ寸法より小さく形成されているため、支持部１８の高さ方向の先端部が、裏板２４の背面側へ突出しないようになっている。
【００７５】
そして、背面部材２２の裏板２４は、図１に示すように、外形が本体部材１４の表示窓部１５ａより大きく形成されているため、背面部材２２の裏板２４の周縁部の前面側が、本体部材１４の枠部１５ｂの背面側と接触するようになっている。
【００７６】
そして、背面部材２２の係合軸２６をその横架部２６ａの軸線回りに回動させることにより、係合軸２６に設けられた背面係合部２７の水平軸部２７ｃが係合する本体部材１４と、係合軸２６の横架部２６ａが取り付けられている背面部材２２の裏板２４の間の間隔を変更することができるようになっている。
【００７７】
次に、本実施の形態に係る額縁構造１２を用いて、表示物を保持して壁面等の鉛直面に展示する方法、及び保持した表示物を交換する方法について詳しく説明する。
【００７８】
まず、背面部材２２の係合軸２６を壁面３０に設けられたＬ字金具のような突起具３０ａのフック部に掛け、背面部材２２の裏板２４の背面側を壁面３０に沿って接触させるように、額縁構造１２の背面部材２２を壁面３０に設置する（図６（ａ）参照）。
【００７９】
そして、図１に示すように、背面部材２２の係合軸２６に設けられた２つの背面係合部２７の水平軸部２７ｃを、本体部材１４に設けられた２つの係合部材２０のそれぞれの上側本体係合部１６のフック部にそれぞれ係合させることにより、本体部材１４を背面部材２２の係合軸２６に取り付ける。
【００８０】
このとき、背面部材２２の係合軸２６は、係合軸２６に取り付けられた本体部材１４の重さによって、背面係合部２７の水平軸部２７ｃが、係合軸２６の回動軸である横下部２６ａの鉛直下方に向けて移動するように回動し、それに伴い、本体部材１４が壁面３０に接近するように移動するため、本体部材１４は、図６（ａ）に示すように、その枠部１５ｂの背面側を背面部材２２の裏板２４の前面側に沿って接触させるように配置される。
【００８１】
そして、この状態から、本体部材１４の下部に手を添えて、本体部材１４の下部が壁面３０から離れるように操作することにより、図６（ｂ）に示すように、背面部材２２の係合軸２６は、背面係合部２７の水平軸部２７ｃが壁面３０から離れるように回動するため、本体部材１４と背面部材２２の裏板２４の間に大きな隙間が形成される。
【００８２】
そして、この本体部材１４と背面部材２２の裏板２４の間の大きな隙間に、表示物１を下から差し入れて、本体部材１４の背面側に配置する。
【００８３】
このとき、背面部材２２の裏板２４はその重さにより、常に係合軸２６との取付部である横下部２６ａから鉛直下方に垂下するようになっているため、本体部材１４の下部が壁面３０から離れるように操作されたとしても、裏板２４が本体部材１４と一緒に壁面３０から離れることはなく、裏板２４は常に壁面３０に沿って配置されるようになっている。
【００８４】
そのため、厚さ寸法の大きい表示物１であっても、本体部材１４の下部をさらに壁面３０から離れるように操作することにより、本体部材１４と背面部材２２の裏板２４の間の隙間をさらに大きくすることができるため、表示物１を本体部材１４と背面部材２２の裏板２４の間の隙間に容易に差し入れることができる。
【００８５】
そして、壁面３０から離れるようにその下部を操作した本体部材１４を元の位置に戻すことにより、背面部材２２の係合軸２６は、係合軸２６に取り付けられた本体部材１４の重さによって、背面係合部２７の水平軸部２７ｃが横下部２６ａの鉛直下方に向けて移動するように回動し、それに伴い、本体部材１４が壁面３０に接近するように移動するため、その結果、表示物１は、図６（ｃ）に示すように、本体部材１４の枠部１５ｂと背面部材２２の裏板２４に挟まれるように保持される。
【００８６】
このとき、背面部材２２の係合軸２６に取り付けられた本体部材１４は、係合部材２０の上側本体係合部１６に係合する係合軸２６の背面係合部２７の水平軸部２７ｃの軸線回りに回動することができ（図６（ｂ）参照）、また、本体部材１４の係合部材２０の上側本体係合部１６の上下方向の位置は、本体部材１４の表示窓部１５ａの上端部より下方、すなわち、保持された表示物１の上端部より下方に位置するように構成されている（図６（ｃ）参照）。
【００８７】
これにより、本体部材１４が元の位置に戻る際に、本体部材１４と表示物１の上端部の接触部を支点として、この接触部より下方に位置する本体部材１４の係合部材２０の上側本体係合部１６が壁面３０に接近するように移動するため、本体部材１４は、常に表示物１の前面側に沿って配置され、本体部材１４の枠部１５ｂが、表示物１の輪郭部の全面に亘って接触するようになっている。
【００８８】
そのため、厚さ寸法の大きい表示物１を挟み込む場合であっても、本体部材１４の枠部１５ｂは、表示物１の前面から離れることはなく、表示物１を背面部材２２の裏板２４に向って確実に押さえつけることができるようになっている。
【００８９】
そして、本体部材１４が元の位置に戻る際に、背面部材２２の係合軸２６がその横架部２６ａの軸線回りに回動することにより、表示物１の厚さに合わせて、本体部材１４と背面部材２２の裏板２４の間の間隔が変更されるため、厚さ寸法が異なる表示物１でも確実に保持することができるようになっている。
【００９０】
そして、図６（ｃ）に示すように、表示物１の下端部が支持部１８の支持面１８ａに当接して支持されるため、表示物１が下方に落下しないようになっている。
【００９１】
そして、保持された表示物１を交換する場合は、図６（ｂ）に示すように、額縁構造１２の背面部材２２が壁面３０の突起具３０ａに掛けられた状態のまま、本体部材１４の下部に手を添えて、本体部材１４の下部が壁面３０から離れるように操作することにより、本体部材１４と背面部材２２の裏板２４の間に大きな隙間が形成されるため、表示物１を取り出して交換することができる。
【００９２】
このように、本実施の形態に係る額縁構造１２を用いて、表示物１を壁面３０等の鉛直面に吊り下げて展示することができ、その状態のまま、表示物１を簡単かつ迅速に取り出して交換することができるようになっている。
【００９３】
しかしながら、図１に示すような使用形態で額縁構造１２を用いる場合は、額縁構造１２を床面等の水平面に設置して、壁面等に斜めに立て掛けて使用すると、上述したように、背面部材２２の裏板２４がその重さにより壁面３０に沿って配置されるため、本体部材１４と背面部材２２の裏板２４の間に隙間が生じてしまい、表示物１を本体部材１４と背面部材２２の裏板２４とで挟み込んで保持することができない。
【００９４】
そこで、本実施の形態に係る額縁構造１２は、図７に示すように、背面部材２２の向きを図１とは上下逆さまにして、背面部材２２の係合軸２６に設けられた２つの背面係合部２７のそれぞれの水平軸部２７ｃを、本体部材１４に設けられた２つの係合部材２０の下側本体係合部１７のフック部にそれぞれ係合させることにより、背面部材２２を本体部材１４の係合部材２０に吊り下げるように取り付けることができる。
【００９５】
本実施の形態に係る額縁構造１２は、このような使用形態で用いることにより、額縁構造１２を床面等の水平面に設置して、壁面等に立て掛けた状態で、表示物を保持して展示することができる。
【００９６】
このとき、本体部材１４の支持部１８は、背面部材２２の裏板２４に形成された図４（ａ）中上側の開口部２４ａの内側に位置するようになっているため、支持部１８が裏板２４に接触しないようになっている。
【００９７】
次に、このような使用形態の額縁構造１２を用いて、表示物を保持して床面等の水平面に設置し、壁面等に斜めに立て掛けて展示する方法、及び保持した表示物を交換する方法について詳しく説明する。
【００９８】
まず、図７に示すように、本体部材１４に設けられた２つの係合部材２０のそれぞれの下側本体係合部１７のフック部に、図１とは上下逆さまにした背面部材２２の、係合軸２６に設けられた２つの背面係合部２７の水平軸部２７ｃをそれぞれ係合させて、背面部材２２を本体部材１４に取り付けた状態にし、そのまま、図８（ａ）に示すように、額縁構造１２を、本体部材１４の下端部が床面３１に接触し、本体部材１４の上端部が壁面３０に接触するように、壁面３０に立て掛けて設置する。
【００９９】
このとき、背面部材２２の係合軸２６は、係合軸２６が取り付けられた裏板２４の重さによって、係合軸２６の横架部２６ａが水平軸部２７ｃの鉛直下方に向けて移動するように回動し、それに伴い、裏板２４の下端部が本体部材１４に接近するように移動するため、図８（ａ）に示すように、本体部材１４と背面部材２２の裏板２４の間の隙間を非常に小さくすることができる。
【０１００】
そして、この状態から、本体部材１４の上部に手を添えて、本体部材１４の上部が壁面３０から離れるように操作することにより、図８（ｂ）に示すように、背面部材２２の係合軸２６は、背面係合部２７の水平軸部２７ｃが壁面３０から離れるように回動するため、本体部材１４と背面部材２２の裏板２４の間に大きな隙間が形成される。
【０１０１】
そして、この本体部材１４と背面部材２２の裏板２４の間の大きな隙間に、表示物１を上から差し入れて、本体部材１４の背面側に配置する。
【０１０２】
そして、壁面３０から離れるようにその上部を操作した本体部材１４を元の位置に戻すことにより、背面部材２２の係合軸２６は、係合軸２６が取り付けられた裏板２４の重さによって、係合軸２６の横架部２６ａが水平軸部２７ｃの鉛直下方に向けて移動するように回動し、それに伴い、裏板２４の下端部が本体部材１４に接近するように移動するため、その結果、表示物１は、図８（ｃ）に示すように、本体部材１４の枠部１５ｂと背面部材２２の裏板２４に挟まれるように保持される。
【０１０３】
そして、図８（ｃ）に示すように、表示物１の下端部が支持部１８の支持面１８ａに当接して支持されるため、表示物１が下方に落下しないようになっている。
【０１０４】
そして、保持された表示物１を交換する場合は、図８（ｂ）に示すように、額縁構造１２が床面３１に配置され、壁面３０に立て掛けられた状態のまま、本体部材１４の上部に手を添えて、本体部材１４の上部が壁面３０から離れるように操作することにより、本体部材１４と背面部材２２の裏板２４の間に大きな隙間が形成されるため、表示物１を取り出して交換することができる。
【０１０５】
このように、本実施の形態に係る額縁構造１２を用いて、表示物１を床面３１の上に配置し、壁面３０等に立て掛けて展示することができ、その状態のまま、表示物１を簡単かつ迅速に取り出して交換することができる。
【０１０６】
このように、本発明の第１の実施の形態に係る額縁構造１２によれば、表示物の交換を簡単かつ迅速に行うことができると共に、厚さ寸法がそれぞれ異なる表示物でも保持することができる。
【０１０７】
図９ないし図１１は、本発明の第２の実施の形態に係る額縁構造３２について説明するために参照する図である。なお、前記第１の実施の形態に係る額縁構造１２と同様の部分には、一部を除き同じ符号を付して説明するものとする。
【０１０８】
本実施の形態に係る額縁構造３２は、前記第１の実施の形態に係る額縁構造１２における本体部材１４（図２（ｂ）参照）の代わりに、図１０（ａ）に示すような本体部材３４を備え、前記第１の実施の形態に係る額縁構造１２における背面部材２２（図４（ａ）参照）の代わりに、図１０（ｂ）に示すような背面部材４２を備えている点において、前記第１の実施の形態に係る額縁構造１２とはその構成が異なるものである。
【０１０９】
額縁構造３２の本体部材３４は、図１０（ａ）に示すように、前記第１の実施の形態に係る額縁構造１２における本体部材１４と同様に、外形が略四角形の板状に形成された本体板部１５を備え、本体板部１５の背面側には、支持部１８と２つの係合部材２０が設けられている。
【０１１０】
そしてこれらに加えて、本体部材３４には、支持部１８と同じ形状の支持部３８（第２支持部）が、本体板部１５の表示窓部１５ａの右側（本体部材３４の前面側から見ると左側）に上下方向に沿って形成された、本体板部１５の左辺側の枠部１５ｂの背面側の、上下方向の略中央、かつ水平方向の表示窓部１５ａ寄りの位置に、上下方向に細長く伸びるように設けられている。
【０１１１】
そしてさらに、本体部材３４には、係合部材２０と同じ形状の係合部材４０が、本体板部１５の表示窓部１５ａの上下両側に水平方向に沿って形成された、本体板部１５の上辺側と下辺側の枠部１５ｂの背面側にそれぞれ設けられており、これらの係合部材４０は、本体板部１５の上辺側と下辺側の枠部１５ｂの背面側の水平方向の略中央に、２つの係合部材４０が本体板部１５の上下方向の中央を挟んで略左右対称に配置されている。
【０１１２】
すなわち、図１０（ａ）に示すように、本体板部１５の上辺側と下辺側の枠部１５ｂの背面側には、図中右側に開放されたＵ字型のフック状の上側本体係合部３６（第３本体係合部）と、図中左側に開放されたＵ字型のフック状の下側本体係合部３７（第４本体係合部）が、水平方向（図中左右方向）に並んで設けられ、上側本体係合部３６と下側本体係合部３７は、本体板部１５の水平方向の中央を挟んで略左右対称に設けられると共に、上側本体係合部３６の水平方向の位置が、本体板部１５の表示窓部１５ａの左辺部よりも図中右方に配置され、下側本体係合部３７の水平方向の位置が、本体板部１５の表示窓部１５ａの右辺部よりも図中左方に配置されるように構成されている。
【０１１３】
額縁構造３２の背面部材４２は、図１０（ｂ）に示すように、前記第１の実施の形態に係る額縁構造１２における背面部材２２の裏板２４の代わりに裏板４４を備えると共に、裏板４４の上端部に水平方向（図中左右方向）に沿って設けられた、前記第１の実施の形態に係る額縁構造１２における背面部材２２と同様の係合軸２６を備えている。
【０１１４】
額縁構造３２の裏板４４は、図１０（ｂ）に示すように、前記第１の実施の形態に係る裏板２４と同様に、図の紙面に垂直方向に所定の厚さを有し、外形が略四角形の板状に形成され、その水平方向（図中左右方向）の略中央部には、２つの開口部２４ａが形成され、その上辺部には２つの軸受部２４ｂが設けられている。
【０１１５】
そしてこれらに加えて、裏板４４には、開口部２４ａと同じ形状の上下方向に細長い略長方形の開口部４４ａが、裏板４４の上下方向の略中央部に、裏板４４の水平方向の中央を挟んで略左右上下対称に形成されている。
【０１１６】
このような本体部材３４と背面部材４２を備えた、本実施の形態に係る額縁構造３２においては、図１１に示すように、本体部材３４を図１０（ａ）に示す状態から時計回り方向（本体部材３４の前面側から見ると反時計回り方向）に９０度回転させて、背面部材４２の係合軸２６に設けられた２つの背面係合部２７のそれぞれの水平軸部２７ｃを、本体部材３４に設けられた２つの係合部材４０の上側本体係合部３６のフック部にそれぞれ係合させることにより、本体部材３４を縦向きにして、背面部材４２の係合軸２６に吊り下げるように取り付けることができる。
【０１１７】
そして、本体部材３４の表示窓部１５ａも、図１０（ａ）に示す状態から時計回り方向に９０度回転するため、表示物１の図柄を横向きから縦向きへと展示方向を変更することができる。
【０１１８】
このとき、本体部材３４の支持部１８は、背面部材４２の裏板４４に形成された図１０（ｂ）中右側の開口部４４ａの内側に位置し、支持部３８は、裏板４４の下端部より下方に位置するため、支持部１８，３８が裏板４４に接触しないようになっている。
【０１１９】
その他の構成は、前記第１の実施の形態に係る額縁構造１２と同様であるため、この本発明の第２の実施の形態に係る額縁構造３２を用いることによっても、表示物の交換を簡単かつ迅速に行うことができると共に、厚さ寸法がそれぞれ異なる表示物でも保持することができる。
【０１２０】
さらに、本実施の形態に係る額縁構造３２を用いることにより、表示物１の展示方向を横向きから縦向きへと変更することができる。
【０１２１】
図１２は、本発明の第３の実施の形態に係る額縁構造５２について説明するために参照する図である。なお、前記第１の実施の形態に係る額縁構造１２と同様の部分には、一部を除き同じ符号を付して説明するものとする。
【０１２２】
本実施の形態に係る額縁構造５２は、前記第１の実施の形態に係る額縁構造１２における背面部材２２（図４（ｂ）参照）の代わりに、図１２に示すような背面部材６２を備えている点において、前記第１の実施の形態に係る額縁構造１２とはその構成が異なるものである。
【０１２３】
そして、額縁構造５２の背面部材６２は、前記第１の実施の形態に係る額縁構造１２の背面部材２２における裏板２４の代わりに、図１２に示すような裏板６４を備えている点において、前記第１の実施の形態に係る額縁構造１２の背面部材２２とはその構成が異なるものである。
【０１２４】
背面部材６２の裏板６４は、図１２に示すように、前記第１の実施の形態に係る額縁構造１２の背面部材２２における裏板２４（図４（ｂ）参照）と同様の構成の裏板部６４ａと、裏板部６４ａの下端部に設けられた脚部６２ｂを備えている。
【０１２５】
裏板６４の脚部６４ｂは、裏板部６４ａの下側の辺部にから下方に向けて伸びる板状の下延部６４ｃと、下延部６４ｃの下端部から額縁構造５２の前後方向にそれぞれ水平に伸びる板状のベース部６２ｄを備えている。
【０１２６】
これにより、裏板６４の脚部６４ｂを床等の水平面に設置することにより、背面部材６２を水平面に自立させた状態で設置することができるようになっている。
【０１２７】
そして、背面部材６２の他の構成は、前記第１の実施の形態に係る額縁構造１２の背面部材２２と同様であるため、図１２に示すように、背面部材６２の係合軸２６に設けられた２つの背面係合部２７を、本体部材１４に設けられた２つの係合部材２０のフック部に係合させることにより、本体部材１４を背面部材６２の係合軸２６に吊り下げるように取り付けることができ、それにより、額縁構造５２を床等の水平面に自立させた状態で設置することができるようになっている。
【０１２８】
その他の構成は、前記第１の実施の形態に係る額縁構造１２と同様であるため、この本発明の第３の実施の形態に係る額縁構造５２を用いることによっても、表示物の交換を簡単かつ迅速に行うことができると共に、厚さ寸法がそれぞれ異なる表示物でも保持することができる。
【０１２９】
さらに、本実施の形態に係る額縁構造５２を用いることにより、額縁構造５２を水平面に自立させた状態で設置することができる。
【０１３０】
なお、本発明は、前記第１ないし第３の実施の形態のみに限定されるものではなく、本発明の目的を達成することができる範囲内であれば、種々の変更が可能である。
【０１３１】
例えば、前記第１ないし第３の実施の形態に係る額縁構造１２，３２，５２においては、本体部材１４，３４の表示窓部１５ａは、本体板部１５を厚さ方向に貫通する開口部として形成されているが、表示物１の表示面が額縁の前面側から見えればよいので、表示窓部１５ａをガラス等の透明の部材で形成し、透明の表示窓部１５ａを通して表示物１の表示面が見えるようにしてもよい。
【０１３２】
また、前記第１ないし第３の実施の形態に係る額縁構造１２，３２，５２においては、本体部材１４，３４の前面は平坦に形成されているが、額縁の前面を装飾するために、本体部材１４，３４の前面にさまざまな形状や模様が形成されていてもよい。
【０１３３】
また、本体部材１４，３４の前面に、額縁の前面を装飾するための部材を取り付けるようになっていてもよく、この部材が本体部材１４，３４の前面に着脱可能に取り付けられることにより、様々な種類の部材の中から本体部材１４，３４の前面に取り付ける部材を選択できるようになっていてもよい。
【０１３４】
また、前記第１ないし第３の実施の形態に係る額縁構造１２，３２，５２においては、支持部１８，３８は、本体部材１４，３４に設けられているが、表示物１が下方に移動しないように支持されていればよいので、これらの支持部１８，３８が背面部材２２，４２，６２の裏板２４，４４，６４に設けられていてもよい。
【０１３５】
また、前記第１ないし第３の実施の形態に係る額縁構造１２，３２，５２においては、本体部材１４，３４の枠部１５ｂや背面部材２２，４２，６２の裏板２４，４４，６４の、表示物１と接触する箇所は、平坦な平面に形成されているが、保持した表示物１が下方に移動しないように、滑り止めの部材が貼り付けられていてもよい。
【０１３６】
また、前記第１の実施の形態に係る額縁構造１２においては、本体部材１４の上側本体係合部１６と下側本体係合部１７は、係合部材２０の上下両端部に形成されていたが、上側本体係合部１６と下側本体係合部１７が別々の部材として設けてもよい。
【０１３７】
同じ様に、前記第２の実施の形態に係る額縁構造３２においても、本体部材３４の上側本体係合部３６と下側本体係合部３７が、別々の部材として設けてもよいし、また、本体板部１５の四隅部に沿うようなＬ字状の係合部材を設け、上記四隅部を挟んで隣り合うよう配置された上側本体係合部１６と上側本体係合部３６が、上記係合部材の両端部に形成されるようにしてもよい。
【０１３８】
また、前記第２の実施の形態に係る額縁構造３２においては、その本体部材３４は、図１０（ａ）における本体部材３４の右側（本体部材３４の前面側から見ると左側）を下にして、背面部材４２に取り付けるようになっているが（図１１参照）、本体部材３４を９０度回転させた状態で、背面部材４２に取り付けることができればよいので、図１０（ａ）における本体部材３４の左側（本体部材３４の前面側から見ると右側）を下にして、背面部材４２に取り付けるようにしてもよい。
【０１３９】
その場合は、図１０（ａ）における支持部３８の位置の代わりに、本体部材３４の左辺側の枠部１５ｂ部に、支持部３８と同じ形状の支持部を設けてもよい。
【０１４０】
また、前記第３の実施の形態に係る額縁構造５２においては、背面部材６２の裏板６４の脚部６４ｂの下延部６４ｃやベース部６４ｄは、それぞれが板状に形成されているが、背面部材６２を自立させた状態で設置することができればよいので、裏板６４の脚部６４ｂが、例えば装飾等のために、さまざまな形状に形成されていてもよい。
【０１４１】
また、前記第３の実施の形態に係る額縁構造５２においては、前記第１の実施の形態に係る額縁構造１２における本体部材１４と同様の構成の本体部材を備えているが、本体部材１４の代わりに、図１０（ａ）に示すような、前記第２の実施の形態に係る額縁構造３２における本体部材３４と同様の構成の本体部材を備え、本体部材３４を９０度回転させることにより、表示物１の展示方向を横向きから縦向きへと変更することができようにしてもよい。
【０１４２】
その場合は、本体部材３４の下辺側に位置する係合部材４０（本体部材３４が９０度回転した場合は係合部材２０）が背面部材６２の裏板６４に接触して干渉しないように、裏板６４に孔や凹部を形成してもよい。
【符号の説明】
【０１４３】
１  表示物
２  額縁構造
４  本体部材
４ａ  配置部
４ｂ  縁部
４ｃ  表示窓部
４ｄ  枠部
６  裏板
８  係止片
９  かけ紐
１２  額縁構造
１４  本体部材
１５  本体板部
１５ａ  表示窓部
１５ｂ  枠部
１６  上側本体係合部
１７  下側本体係合部
１８  支持部
１８ａ  支持面
２０  係合部材
２０ａ  取付部
２０ｂ  上側曲部
２０ｃ  上側先端部
２０ｄ  下側曲部
２０ｅ  下側先端部
２２  背面部材
２４  裏板
２４ａ  開口部
２４ｂ  軸受部
２４ｃ  軸受溝
２４ｄ  係止突起
２６  係合軸
２６ａ  横架部
２６ｂ  拡径部
２６ｃ  吊下部
２７  背面係合部
２７ａ  斜行部
２７ｂ  連結部
２７ｃ  水平軸部
２７ｄ  先端部
３０  壁面
３０ａ  突起具
３１  床面
３２  額縁構造
３４  本体部材
３６  上側本体係合部
３７  下側本体係合部
３８  支持部
４０  係合部材
４２  背面部材
４４  裏板
４４ａ  開口部
５２  額縁構造
６２  背面部材
６４  裏板
６４ａ  裏板部
６４ｂ  脚部
６４ｃ  下延部
６４ｄ  ベース部
Ｌ  長さ
【図１】
2020146171.tif 000003
【図２】
2020146171.tif 000004
【図３】
2020146171.tif 000005
【図４】
2020146171.tif 000006
【図５】
2020146171.tif 000007
【図６】
2020146171.tif 000008
【図７】
2020146171.tif 000009
【図８】
2020146171.tif 000010
【図９】
2020146171.tif 000011
【図１０】
2020146171.tif 000012
【図１１】
2020146171.tif 000013
【図１２】
2020146171.tif 000014
【図１３】
2020146171.tif 000015
【図１４】
2020146171.tif 000016